(57)【要約】【課題】  録画されたＷｅｂカメラの撮像映像が、どこの場所を撮像したものかファイルを開いて実際に映像を見ることなく知る事が可能なナースコールシステムを提供する。【解決手段】  ナースコール親機１に、Ｗｅｂカメラ１８毎に関連付けた場所情報を予め記憶した第１メモリ２５、及びＷｅｂカメラ１８で撮像した映像を保存するための第２メモリ２６を設け、ナースコール親機１がＷｅｂカメラ１８で撮像した映像を保存する際に、第１メモリ２５から場所情報を取得して、その場所情報を含む名称のファイルを自動作成して第２メモリ２６に保存した。【選択図】  図１
2007096500.tif 000002
【特許請求の範囲】
【請求項１】
患者が看護師を呼び出すためのナースコール子機と、前記ナースコール子機が接続され前記ナースコール子機からの呼び出しを看護師に知らせるための廊下灯と、前記ナースコール子機からの呼び出しに応答するためのナースコール親機と、前記廊下灯及び前記ナースコール親機を制御する制御機と、共用部または患者を撮像する複数のＷｅｂカメラとを有するナースコールシステムであって、
前記Ｗｅｂカメラ毎に関連付けた場所情報を予め記憶した場所記憶手段、及びＷｅｂカメラで撮像した静止画または動画を保存する映像保存手段を有すると共に、Ｗｅｂカメラは、常時の監視または必要時の監視によって動作し、
前記Ｗｅｂカメラで撮像した静止画又は動画をファイルを作成して保存制御する映像保存制御手段を有し、前記映像保存制御手段は、前記関連づけた場所情報を加えてファイル名を作成し保存することを特徴とするナースコールシステム。
【請求項２】
患者が看護師を呼び出すためのナースコール子機と、前記ナースコール子機が接続され前記ナースコール子機からの呼び出しを看護師に知らせるための廊下灯と、前記ナースコール子機からの呼び出しに応答するためのナースコール親機と、前記廊下灯及び前記ナースコール親機を制御する制御機と、共用部または患者を撮像する複数のＷｅｂカメラとを有するナースコールシステムであって、
前記Ｗｅｂカメラ毎に関連付けた場所情報を予め記憶した場所記憶手段、及びＷｅｂカメラで撮像した静止画または動画を保存する映像保存手段を有すると共に、Ｗｅｂカメラは、常時の監視または必要時の監視によって動作し、
前記映像保存手段は、前記Ｗｅｂカメラ毎にＷｅｂカメラの場所情報を具備した名称のフォルダを有し、前記Ｗｅｂカメラで撮像した静止画又は動画を、前記フォルダ内にファイルを作成して保存する映像保存制御手段を有することを特徴とするナースコールシステム。
【請求項３】
前記ファイル名は、前記Ｗｅｂカメラが起動した、又は録画した回数情報を有することを特徴とする請求項１又は２記載のナースコールシステム。
【請求項４】
前記映像保存手段は、前記ナースコール親機、前記制御機、或いはナースコールサーバ、管理用パーソナルコンピュータのうちの少なくとも一つに備えられていることを特徴とする請求項１乃至３の何れかに記載のナースコールシステム。
【請求項５】
前記Ｗｅｂカメラで撮像した静止画又は動画の保存は、Ｗｅｂカメラごとに録画時間、録画間隔、録画枚数等の録画条件を設定することができることを特徴とする請求項１乃至４の何れかに記載のナースコールシステム。
【請求項６】
前記ナースコール親機はＷｅｂカメラの撮像映像を出画するディスプレイを備えると共に、前記フォルダ名及びファイル名と一体に前記映像保存手段の保存映像を前記ディスプレイに個別表示または一覧表示する映像表示制御手段を有することを特徴とする請求項１乃至５の何れかに記載のナースコールシステム。
【請求項７】
前記映像表示制御手段は、前記ディスプレイに保存映像を表示する際に、チェックされた映像の消去を不可とするチェックボックスを合わせて表示することを特徴とする請求項６記載のナースコールシステム。
【発明の詳細な説明】
【技術分野】
【０００１】
本発明は、Ｗｅｂカメラを備えて、撮像した映像を録画する機能を備えたナースコールシステムに関する。
【背景技術】
【０００２】
従来のナースコールシステムでは、ナースコール子機にカメラを組み合わせて、呼出操作した患者の様子をナースステーションにて確認できるよう構成されたシステムや、カメラにより共用部の様子も確認できるようにしたシステムがある。また、カメラをＷｅｂカメラとしてシステムをネットワーク化し、パーソナルコンピュータから成るナースコール親機に必要に応じてカメラ撮像映像を出画可能とし、必要に応じてその映像を保存できるようにしたシステムがある（例えば、特許文献１参照）。
【特許文献１】特開２００５−１５１５４０号公報
【発明の開示】
【発明が解決しようとする課題】
【０００３】
しかし、上記従来のナースコールシステムでは、撮像された映像を録画できるよう構成されていても、その保存された映像の場所情報等を得る場合は、実際に保存された映像を見て判断する以外になく、一つのシステムにカメラが複数台接続されているような場合には、確認することが困難な状況にあった。
【０００４】
そこで、本発明はこのような問題点に鑑み、録画されたＷｅｂカメラの撮像映像が、どこの場所を撮像したものかを、ファイルを開いて実際に映像を見ることなく知る事が可能なナースコールシステムを提供することを目的とする。
【課題を解決するための手段】
【０００５】
上記課題を解決する為に、請求項１に記載の発明は、患者が看護師を呼び出すためのナースコール子機と、ナースコール子機が接続されナースコール子機からの呼び出しを看護師に知らせるための廊下灯と、ナースコール子機からの呼び出しに応答するためのナースコール親機と、廊下灯及びナースコール親機を制御する制御機と、共用部または患者を撮像する複数のＷｅｂカメラとを有するナースコールシステムであって、Ｗｅｂカメラ毎に関連付けた場所情報を予め記憶した場所記憶手段、及びＷｅｂカメラで撮像した静止画または動画を保存する映像保存手段を有すると共に、Ｗｅｂカメラは、常時の監視または必要時の監視によって動作し、Ｗｅｂカメラで撮像した静止画又は動画をファイルを作成して保存制御する映像保存制御手段を有し、映像保存制御手段は、関連づけた場所情報を加えてファイル名を作成し保存することを特徴とする。
この構成によれば、Ｗｅｂカメラで撮像された映像を保存するに際し、ファイル名に撮像場所情報を自動的に付与するので、保存映像を見ることなくファイル名を表示させるだけで撮影場所を確認できる。
【０００６】
請求項２の発明は、患者が看護師を呼び出すためのナースコール子機と、ナースコール子機が接続されナースコール子機からの呼び出しを看護師に知らせるための廊下灯と、ナースコール子機からの呼び出しに応答するためのナースコール親機と、廊下灯及びナースコール親機を制御する制御機と、共用部または患者を撮像する複数のＷｅｂカメラとを有するナースコールシステムであって、Ｗｅｂカメラ毎に関連付けた場所情報を予め記憶した場所記憶手段、及びＷｅｂカメラで撮像した静止画または動画を保存する映像保存手段を有すると共に、Ｗｅｂカメラは、常時の監視または必要時の監視によって動作し、映像保存手段は、Ｗｅｂカメラ毎にＷｅｂカメラの場所情報を具備した名称のフォルダを有し、Ｗｅｂカメラで撮像した静止画又は動画を、フォルダ内にファイルを作成して保存する映像保存制御手段を有することを特徴とする。
この構成によれば、Ｗｅｂカメラで撮像された映像を保存するに際し、Ｗｅｂカメラ毎に場所情報を具備した名称のフォルダ内にファイルを作成して保存されるので、保存映像を見ることなくフォルダ名を表示させるだけで撮影場所を認識できる。
【０００７】
請求項３の発明は、請求項１又は２に記載の発明において、ファイル名は、Ｗｅｂカメラが起動した、又は録画した回数情報を有することを特徴とする。
この構成によれば、ファイル名に回数情報が付加されるので、どこで撮像された映像が多いかをファイル名のみで確認でき、映像の管理がし易い。また、回数情報を加えることにより同じ名前のファイルが存在することがなくなり、保存映像を上書きして消去するようなことがなくなる。
【０００８】
請求項４の発明は、請求項１乃至３の何れかに記載の発明において、映像保存手段は、ナースコール親機、制御機、或いはナースコールサーバ、管理用パーソナルコンピュータのうちの少なくとも一つに備えられていることを特徴とする。
この構成によれば、システムの設置状況に応じて、最適な場所に設ける事ができ、特定の機器に負担が掛かるような事態を避けることができる。
【０００９】
請求項５の発明は、請求項１乃至４の何れかに記載の発明において、Ｗｅｂカメラで撮像した静止画又は動画の保存は、Ｗｅｂカメラごとに録画時間、録画間隔、録画枚数等の録画条件を設定することができることを特徴とする。
この構成によれば、Ｗｅｂカメラが複数ある場合に、カメラごとに録画方法等を変更できるので動作頻度が高いカメラと低いカメラで設定を変更することができ、利便性が向上する。
【００１０】
請求項６の発明は、請求項１乃至５の何れかに記載の発明において、ナースコール親機はＷｅｂカメラの撮像映像を出画するディスプレイを備えると共に、フォルダ名及びファイル名と一体に映像保存手段の保存映像をディスプレイに個別表示または一覧表示する映像表示制御手段を有することを特徴とする。
この構成によれば、映像を表示させる際に、映像の撮像場所情報等を表示するので、利便性が高い。また、一覧で表示すれば保存映像の全体を容易に把握できる。
【００１１】
請求項７の発明は、請求項６に記載の発明において、映像表示制御手段は、ディスプレイに保存映像を表示する際に、チェックされた映像の消去を不可とするチェックボックスを合わせて表示することを特徴とする。
この構成によれば、消去したくない映像がある場合、チェックボックスをチェックする簡単な操作で消去不可にできるので、保存映像の削除等整理する際、安心して実施できる。
【発明の効果】
【００１２】
本発明によれば、Ｗｅｂカメラで撮像された映像を保存するに際し、ファイル名に撮像場所情報を自動的に付与するので、保存映像を見ることなくファイル名を表示させるだけで撮影場所を確認できる。
【発明を実施するための最良の形態】
【００１３】
以下、本発明を具体化した実施の形態を、図面に基づいて詳細に説明する。図１は、本発明に係るナースコールシステムの構成図であり、複数のナースコール親機１，１・・と制御機２を有している。制御機２は、廊下灯５、プレート子機６を介してナースコール子機７がＣＰＥＶ等の通信ケーブル８で接続されている。また、制御機２には、ＰＢＸ１０、基地局１１が通信ケーブル８で接続され、看護師が携帯しているハンディーナース親機１２と無線通信が可能となっている。更に制御機２には、コントロールアダプタ１３を介してオートドア１４が接続されたり、電気錠コントローラ１５を介して電気錠付きドア１６が接続されたりする。
【００１４】
個々のナースコール親機１は、ＨＵＢ３を介して複数のＷｅｂカメラ１８，１８・・が接続され、Ｗｅｂカメラ１８の撮像映像を出画すると共に患者情報等を表示するためのディスプレイ１ａを有している。また、ナースコール親機１同士は、ＨＵＢ３を介してＬＡＮケーブル４で接続されると共に、管理用ＰＣ（パーソナルコンピュータ）２０、ナースコールサーバ２１、バックアップサーバ２２、オーダリングシステム２３が接続されている。
【００１５】
このように構成されたナースコールシステムについて、以下動作を説明する。基本動作である、ナースコール子機７による呼び出し、及びナースコール親機１での応答操作等の動作は従来と同様であるし、本発明の要部ではないので説明を省略し、Ｗｅｂカメラ動作による撮影映像の保存、ナースコール親機での出画動作について説明する。
まず、ナースコール親機１はＷｅｂカメラ撮像映像の保存を制御する映像保存制御手段としての親機ＣＰＵ（図示せず）を有し、ナースコール親機に接続された個々のＷｅｂカメラに関連付けた場所情報を記憶した場所記憶手段としての第１メモリ２５、静止画又は動画を保存する映像保存手段としての第２メモリ２６を有している。この第１メモリ２５には、例えばオートドア、電気錠付ドア、共用部、各ベッド子機（患者）等の場所情報が個々のＷｅｂカメラ１８に関連付けられて記憶されている。
【００１６】
尚、この映像を保存する第２メモリ２６は、ナースコール親機１に限定する必要はなく制御機２でも良いし、ナースコールサーバ２１、或いは管理用ＰＣ２０等に一括して設けても良い。映像データの保存は比較的大きなメモリ容量が必要なため、システム構成の状況に応じて最適な場所に設ければよく、特定の機器に負担が掛かるような事態を避けることができる。
【００１７】
図２は個々のＷｅｂカメラ１８の録画条件設定の一覧を示している。ナースコール親機１は、Ｗｅｂカメラ１８毎に録画時間（動画を録画する場合）、録画間隔や録画枚数（静止画を録画する場合）、録画時間帯等の録画情報が設定可能となっており、図２は設定された録画情報を示している。図２において、Ｃ１はＷｅｂカメラ（設置場所）の名称、Ｃ２は動画／静止画の選択、Ｃ３は静止画の場合は録画間隔、動画の場合は録画時間の設定、Ｃ４は静止画の場合の録画枚数の設定を示している。これらの設定はタッチパネルを備えたディスプレイ１ａを操作することで、親機ＣＰＵの制御により個々のＷｅｂカメラ１８毎に設定される。
【００１８】
具体的に説明すると、南玄関に設置されたＷｅｂカメラ１８は動画で保存され、１０秒間の撮像映像データが保存される。また、内科待合室に設置されたＷｅｂカメラ１８も同様に動画で保存され、５秒間の撮像映像データが保存される。更に非常口に設置されたＷｅｂカメラ１８は静止画で保存され、２秒間隔で９枚のデータが保存されることを示している。この設定内容に従ってナースコール親機１は録画のタイミングを制御する。
【００１９】
このように、Ｗｅｂカメラ１８で撮像した静止画又は動画の保存を、Ｗｅｂカメラ１８ごとに録画時間、録画間隔、録画枚数等の録画条件を設定可能とすることで、Ｗｅｂカメラが複数ある場合に、カメラごとに録画方法等を変更でき、動作頻度が高いカメラと低いカメラで設定を変更することができ、利便性が向上する。
尚、上記カメラ１８の動作設定は、制御機２で実施しても良いし、管理用ＰＣ２０、或いはナースコールサーバ２１で行っても良い。また、通常Ｗｅｂカメラ１８は、ナースコール親機１からの操作時、人感センサ感知時、ナースコール子機７からの呼出時、オートドア開閉時、電気錠施解錠時等、各種動作信号を受信してから動作させているが、常時動作させるようにしてもよい。但し、常時動作させる場合は、映像の保存は、設定した所定の間隔で実施されることになる。  
【００２０】
このように構成されたナースコールシステムにおいて、Ｗｅｂカメラ１８が動作した場合の録画動作について説明する。例えば、南玄関オートドアに関連付けられたＷｅｂカメラ１８の動作を例に取り以下説明する。南玄関オートドアが開動作すると、その動作信号がコントロールアダプタ１３を介して制御機２にて受信される。この動作信号はナースコール親機１で受信され、予め設定された設定内容を確認し、例えば動画を１０秒間録画する設定であれば、その設定に従って録画する。そして、このＷｅｂカメラ１８が撮像した映像は、ＨＵＢ３を介してナースコール親機１に送信され、ディスプレイ１ａに出画される。同時に録画が成される。
【００２１】
録画が終わると、親機ＣＰＵの制御により第２メモリ２６にファイル名を自動付与して保存される。ファイル名は、第１メモリ２５から録画するＷｅｂカメラ１８に関連する場所データを取り出し、例えば「南玄関＿１」と付与される。これは南玄関オートドアが場所情報で、１が録画回数（撮像回数）情報を示している。尚、このファイル名はユーザーが識別できるものであれば限定されない。また、このファイルを「南玄関オートドア」のフォルダを作成し、そこに順次保存していくようにすると整理し易い。
【００２２】
また、ナースコール子機７に関連付けられたＷｅｂカメラ１８が動作した場合、映像データは次のように保存される。ナースコール子機７を押下操作すると呼出信号が廊下灯５、制御機２を介してナースコール親機１に送信されると共に、操作されたナースコール子機７に対応したＷｅｂカメラ１８の撮像映像も送信される。ここで静止画を１枚録画するような設定であれば、Ｗｅｂカメラ１８の映像データから静止画データをナースコール親機１の第２メモリ２６にて録画保存する。
録画が終わると、上述した動画の場合と同様に、例えば今までに同一ベッドからの画像が４回保存してあれば「１０１−１＿５」とファイル名を付与する。これは、１０１−１が１０１号室の一番目のベッドの患者を意味し、５が録画回数（撮像回数）を示している。
このように、ナースコール子機による患者からの呼び出しに応じた撮像映像の場合、場所情報としてベッド番号が付与されて保存される。
【００２３】
尚、このファイル名はユーザーが識別できるものであれば限定されない。例えば、ナースコール親機１には、別途ナースコール子機７と患者名とが関連付けられたテーブルを備えることで、そのテーブルに基き「アイホン太郎＿５」と表示させてもよい。そして、ベッド単位または病室単位等、フォルダを準備して、そこに順次保存していくと良い。
また、自動的に録画した場合について説明したが、手動で録画操作した場合についても同じようにファイル名を自動作成できるようにしても良いし、逆に手動操作時についてはユーザーがファイル名を作成できるようにしてもよい。
【００２４】
このように保存された画像或いは映像の取り出し操作を図３〜図７のディスプレイ表示図を基に説明する。図３は映像情報表示前の待受状態を示し、図３（ａ）に示すように管理メニューがディスプレイ１ａに表示され、図３（ｂ）はその一部拡大図を示している。この管理メニューの中の「録画ファイル編集」ボタンＥ１をクリック（選択操作）することでと、サブウインドウが起動されて図４に示す録画ファイルの編集画面が表示される。
【００２５】
この図４は、動画ファイルが１つ保存されているフォルダ内のファイル一覧を示している。この場合、表示されたファイルには、「消去しない」と表示されたチェックボックスＥ２、「南玄関＿１」と表示されたファイル名Ｅ３、録画日時及びサイズＥ４、映像情報Ｅ５が合わせて表示される。このファイル表示部位Ｅ３〜Ｅ５をクリックすると、図５に示すようにファイルに保存されている動画が出画される。尚、「南玄関」の撮像映像が複数ある場合は、図４の状態でファイルは複数表示される。
そして、チェックボックスＥ２は、保存した映像情報の消去を不可とするための操作部であり、マウスまたはタッチ入力などによってチェックボックスを選択操作するとチェックマークが付与され、このチェックマークが付与された映像については消去できないようにすることができ、重要な映像を消去してしまうことがなくなる。
【００２６】
このように、Ｗｅｂカメラで撮像された映像を保存するに際し、ファイル名に撮像場所情報（ここでは「南玄関」）を自動的に付与するので、保存映像を見ることなくファイル名を表示させるだけで撮影場所を確認できる。
また、ファイル名に回数情報が付加されるので、どこで撮像された映像が多いかをファイル名のみで確認でき、映像の管理がし易いし、回数情報を加えることにより同じ名前のファイルが存在することがなくなり、保存映像を上書きして消去するようなことがなくなる。
更に、ナースコール親機のディスプレイで保存された映像を撮像場所情報と共に表示するので、利便性が高いし、消去したくない映像がある場合、チェックボックスをチェックする簡単な操作で消去不可にできるので、保存映像の削除等整理する際、安心して実施できる
また、ファイルを一覧表示することで、フォルダの保存映像の全体を容易に把握できる。
【００２７】
尚、ここで示す映像情報Ｅ５は実際の映像ではなく説明用映像を出画している。また、この出画操作は、例えばＷｉｎｄｏｗｓ  Ｍｅｄｉａ  Ｐｌａｙｅｒ（登録商標）等の動画再生ソフトを使用することで容易に実施できる。また、保存ファイルが複数の場合は、フォルダを表示した際にファイルの一覧が表示され、個々の映像情報と共に場所情報等が表示される。
【００２８】
図６はフォルダに静止画を保存している場合を示している。この場合フォルダの中に複数のファイルが保存されている状態を表示し、Ｅ６はフォルダ名表示ヶ所で「南玄関」と表示されている。他の表示は上記図４と同様であり、チェックボックスＥ２、録画日時Ｅ４が表示されている。尚、複数のＷｅｂカメラ１８の撮像映像が保存されている場合は、複数のフォルダが表示される。
そして、表示されているフォルダをダブルクリックすると図７（ａ）に示すように個々のファイルが表示され、更に表示されたファイルの一つをクリックすると保存されている静止画が図７（ｂ）に示すように表示される。
【００２９】
このように、Ｗｅｂカメラで撮像された映像を保存するに際し、ファイル名及びフォルダ名に撮像場所情報を自動的に付与するので、フォルダ名、ファイル名の何れからでも撮像場所が分かる。従って、保存映像を見ることなく撮影場所を確認できる。また、フォルダを一覧表示することで、フォルダの保存映像の全体を容易に把握できる。
【００３０】
尚、上記実施形態は、静止画の一覧を表示する例を示しているが、動画を含めたファイルの一覧を表示させることも容易に実施できる。また、フォルダ名に場所情報を含む場合は、ファイル名に場所情報を持たせずに、録画回数情報或いは撮影回数情報のみ含むだけでも良い。
【図面の簡単な説明】
【００３１】
【図１】本発明に係るナースコールシステムの実施形態の一例を示す構成図である。
【図２】録画条件設定画面の説明図である。
【図３】ナースコール親機ディスプレイの表示を示し、管理メニューの画面図である。
【図４】ファイル一覧を表示したディスプレイ画面図である。
【図５】動画表示画面図である。
【図６】フォルダ一覧を表示したディスプレイ画面図である。
【図７】図６のファイルを開いた画面図で、（ａ）はファイル一覧を示し、（ｂ）はさらにファイルを開いた静止画表示画面図である。
【符号の説明】
【００３２】
１・・ナースコール親機、１ａ・・ディスプレイ、２・・制御機、５・・廊下灯、７・・ナースコール子機、１８・・Ｗｅｂカメラ、２０・・管理用パーソナルコンピュータ、２１・・ナースコールサーバ、２５・・第１メモリ（場所記憶手段）、２６・・第２メモリ（映像保存手段）、Ｅ２・・チェックボックス、Ｅ３・・ファイル名、Ｅ６・・フォルダ名。
【図１】
2007096500.tif 000003
【図２】
2007096500.tif 000004
【図３】
2007096500.tif 000005
【図４】
2007096500.tif 000006
【図５】
2007096500.tif 000007
【図６】
2007096500.tif 000008
【図７】
2007096500.tif 000009